(57)【要約】【課題】バイブレータの振動によりぼかし撮影を実現する携帯電話機、携帯電話機の撮影方法、及び携帯電話機の撮影プログラムを提供する。【解決手段】記憶部２３には、キーボード部１３を通じて設定されたカメラ１５による撮影時におけるバイブレータ１６のＯＮ／ＯＦＦの設定、及びカメラ１５による撮影時におけるバイブレータ１６の振動数が格納されており、コントローラ２０は、カメラ１５による静止画又は動画の撮影を実行する際、記憶部２３に格納されたカメラ１５による静止画又は動画の撮影時におけるバイブレータ１６のＯＮ／ＯＦＦの設定及びバイブレータ１６の振動数を読み出し、読み出した情報に基づいて携帯電話機を振動させることによりピントをずらしてソフトフォーカス効果を実現する。【選択図】図１
2007124018.tif 000002
【特許請求の範囲】
【請求項１】
カメラを有する携帯電話機であって、
前記携帯電話機を振動させる振動手段を有し、
前記カメラによる撮影中に前記振動手段によって前記携帯電話機を振動させることを特徴とする携帯電話機。
【請求項２】
前記振動手段の振動数を変更する変更手段を有することを特徴とする請求項１記載の携帯電話機。
【請求項３】
前記カメラによる撮影中の前記振動手段のＯＮ／ＯＦＦを設定する設定手段を有することを特徴とする請求項１又は２記載の携帯電話機。
【請求項４】
前記振動手段がバイブレータであることを特徴とする請求項１から３のいずれか１項記載の携帯電話機。
【請求項５】
前記振動手段は、
画像を表示する表示手段と、
前記携帯電話機内の空間を通じて前記表示手段に音のエネルギーを伝搬する音響再生手段とを有し、
前記音響再生手段から音を放射することにより、前記表示手段を振動させることを特徴とする請求項１から３のいずれか１項記載の携帯電話機。
【請求項６】
カメラと、携帯電話機を振動させる振動手段とを有する携帯電話機の撮影方法であって、
前記カメラによる撮影中に前記振動手段によって前記携帯電話機を振動させる工程を有することを特徴とする携帯電話機の撮影方法。
【請求項７】
前記振動手段の振動数を変更する変更工程を有することを特徴とする請求項６記載の携帯電話機の撮影方法。
【請求項８】
前記カメラによる撮影中の前記振動手段のＯＮ／ＯＦＦを設定する設定工程を有することを特徴とする請求項６又は７記載の携帯電話機の撮影方法。
【請求項９】
カメラと、携帯電話機を振動させる振動手段とを有する携帯電話機の撮影プログラムであって、
前記カメラによる撮影中に前記振動手段によって前記携帯電話機を振動させる処理を有することを特徴とする携帯電話機の撮影プログラム。
【請求項１０】
前記振動手段の振動数を変更する変更処理を有することを特徴とする請求項９記載の携帯電話機の撮影プログラム。
【請求項１１】
前記カメラによる撮影中の前記振動手段のＯＮ／ＯＦＦを設定する設定処理を有することを特徴とする請求項９又は１０記載の携帯電話機の撮影プログラム。
【発明の詳細な説明】
【技術分野】
【０００１】
本発明は、携帯電話機、携帯電話機の撮影方法、及び携帯電話機の撮影プログラムに関し、特に、バイブレータの振動によりぼかし撮影を実現する携帯電話機、携帯電話機の撮影方法、及び携帯電話機の撮影プログラムに関する。
【背景技術】
【０００２】
今日の携帯電話機の機能向上はめざましく、様々な機能を追加した携帯電話機が商品化されている。また、従来から携帯電話機の分野においては、小型化または薄型化することが求められている。
【０００３】
携帯電話機に追加された代表的な機能としては、カメラ機能がある。携帯電話機にカメラ機能を内蔵させ、そのカメラ機能で撮影した静止画や動画を個人で楽しむことができる。また、カメラ機能で撮影した静止画や動画を通信機能により相手先に送信し、多くの人々がカメラ機能で撮影した静止画や動画を楽しむことができる。
【０００４】
また、カメラ機能の使用機会が増えるに伴って、静止画や動画を綺麗に撮れるだけでなく、さまざまな撮影効果を使用した撮影の要求が強まってきている。
【０００５】
特許文献１では、撮影光学系内に挿脱可能に構成されたコンバージョンレンズと、撮影露光中に前記撮影光学系の一部を駆動させることでソフトフォーカス効果のある画像を得ることができるソフトフォーカス機構とを有し、前記ソフトフォーカス機構は、前記コンバージョンレンズの挿入時にのみ動作可能に設けられたカメラが提案されている。
【０００６】
特許文献２では、手振れ補正手段付きカメラにおいて、撮影者の選択により、前記手振れ補正手段の駆動機構を強制的に作動させてソフトフォーカス効果を得ることにより、ソフトフォーカス効果を得るための専用の機構や光学部品を設けることなくソフトフォーカス画像を得ることができるとともに、面倒な画像処理を行わなくてもソフトフォーカス画像を得ることができるソフトフォーカス撮影可能なカメラが提案されている。
【０００７】
特許文献３では、被写体から光を取り込んで所定の撮影面上に結像させる撮影レンズを有し、この撮影面上に結像された被写体像を捉えることにより撮影を行うカメラであって、撮影レンズのうち少なくとも１つのレンズを撮影中に光軸方向に振動させるレンズ振動機構を有することにより、ソフトフィルタ、又はソフトフォーカスレンズなどのアタッチメントを設けることなく、ソフトフォーカスの写真を撮影することができるカメラが提案されている。
【特許文献１】特開２０００−１９６１３号公報
【特許文献２】特開２００２−２１８３１２号公報
【特許文献３】特開２００４−４３２５号公報
【発明の開示】
【発明が解決しようとする課題】
【０００８】
しかしながら、上記の発明は以下の問題を有している。
【０００９】
特許文献１乃至３には、専用の機構や光学部品を設けることなく、かつ面倒な画像処理当を行わずにソフトフォーカス効果を得るための技術として、撮影レンズを撮影中に光軸方向へ振動させる方法、コンバージョンレンズの挿入／退避により焦点距離を変更する方法、手振れ補正手段を利用する方法等が提案されているが、これらのソフトフォーカス効果を得るための技術を携帯電話機が有するカメラ機能に適用する構成については記載されていない。
【００１０】
そこで、本発明は、カメラによる静止画又は動画の撮影を行う際に、携帯電話機に装備されるバイブレータを振動させ、携帯電話機自体の振動によりソフトフォーカス効果を実現することにより、ぼかし撮影を行うために新たなハードウェアを追加することなく、小型化・薄型化を図った携帯電話機、携帯電話機の撮影方法、及び携帯電話機の撮影プログラムを提案することを目的としている。
【課題を解決するための手段】
【００１１】
請求項１記載の発明は、カメラを有する携帯電話機であって、前記携帯電話機を振動させる振動手段を有し、前記カメラによる撮影中に前記振動手段によって前記携帯電話機を振動させることを特徴とする。
【００１２】
請求項２記載の発明は、請求項１記載の携帯電話機において、前記振動手段の振動数を変更する変更手段を有することを特徴とする。
【００１３】
請求項３記載の発明は、請求項１又は２記載の携帯電話機において、前記カメラによる撮影中の前記振動手段のＯＮ／ＯＦＦを設定する設定手段を有することを特徴とする。
【００１４】
請求項４記載の発明は、請求項１から３のいずれか１項記載の携帯電話機において、前記振動手段がバイブレータであることを特徴とする。
【００１５】
請求項５記載の発明は、請求項１から３のいずれか１項記載の携帯電話機において、前記振動手段は、画像を表示する表示手段と、前記携帯電話機内の空間を通じて前記表示手段に音のエネルギーを伝搬する音響再生手段とを有し、前記音響再生手段から音を放射することにより、前記表示手段を振動させることを特徴とする。
【００１６】
請求項６記載の発明は、カメラと、携帯電話機を振動させる振動手段とを有する携帯電話機の撮影方法であって、前記カメラによる撮影中に前記振動手段によって前記携帯電話機を振動させる工程を有することを特徴とする。
【００１７】
請求項７記載の発明は、請求項６記載の携帯電話機の撮影方法において、前記振動手段の振動数を変更する変更工程を有することを特徴とする。
【００１８】
請求項８記載の発明は、請求項６又は７記載の携帯電話機の撮影方法において、前記カメラによる撮影中の前記振動手段のＯＮ／ＯＦＦを設定する設定工程を有することを特徴とする。
【００１９】
請求項９記載の発明は、カメラと、携帯電話機を振動させる振動手段とを有する携帯電話機の撮影プログラムであって、前記カメラによる撮影中に前記振動手段によって前記携帯電話機を振動させる処理を有することを特徴とする。
【００２０】
請求項１０記載の発明は、請求項９記載の携帯電話機の撮影プログラムにおいて、前記振動手段の振動数を変更する変更処理を有することを特徴とする。
【００２１】
請求項１１記載の発明は、請求項９又は１０の携帯電話機の撮影プログラムにおいて、前記カメラによる撮影中の前記振動手段のＯＮ／ＯＦＦを設定する設定処理を有することを特徴とする。
【発明の効果】
【００２２】
本発明は、カメラによる静止画又は動画の撮影を行う際に、携帯電話機に装備されるバイブレータを振動させ、携帯電話機自体の振動によりソフトフォーカス効果を実現することにより、ぼかし撮影を行うために新たなハードウェアを追加する必要がないため、携帯電話機を小型化・薄型化することができる。
【発明を実施するための最良の形態】
【００２３】
以下、本発明の一実施形態に係わる携帯電話機の構成及び動作について説明する。
【００２４】
まず、図１を用い本実施形態に係わる携帯電話機の構成について説明する。本実施形態に係わる携帯電話機は、スピーカ（発音手段）１１と、ディスプレイ部１２と、キーボード部１３と、マイクロホン１４と、カメラ１５と、バイブレータ１６と、コントローラ２０と、無線通信部２１と、携帯電話機の電源である蓄電池２２と、携帯電話機に格納されるデータや設定等を記憶する記憶部２３とを有して構成される。
【００２５】
スピーカ１１は、無線通信部２１が受信した他の通信装置からの電気信号を音振動に変換し、発音する。ディスプレイ１２は、キーボード部１３などの操作に応じてコントローラ２０に入力または選択された電話番号などの情報が表示される。キーボード部１３は、テンキー、オンフックキー、及びオフフックキーなどのキーを備えており、使用者がキーボード部１３を操作することにより、電話番号や文字、及び発呼指令等の情報をコントローラ２０に入力することができる。また、キーボード部１３は、携帯電話機を振動させカメラ撮影時のぼかしを実現するバイブレータ１６のＯＮ／ＯＦＦ及びバイブレータ１６の振動数を制御することによるぼかしの度合いを設定するぼかし制御キー１７が備えられている。カメラ１５は、被写体の静止画又は動画を撮影する際に作動する。無線通信装置２１は、コントローラ２０によって制御されており、キーボード部１３によってコントローラ２０に入力された指令に基づいて、図示せぬ無線基地局等を介して他の通信機器との間で無線通信を行う。コントローラ２０は、携帯電話機の装置各部を制御するものであり、通常の携帯電話機と同様に各部を制御する。蓄電池２２は、本実施形態に係わる携帯電話機の動作を司る各部へ電力を供給する。
【００２６】
記憶部２３は、携帯電話機に格納されるデータや設定等を記憶する。具体的には、通信相手の電話番号、メールアドレス、カメラ１５により撮影した静止画又は動画の画像データ、キーボード部１３を通じて設定された各種設定等が格納される。特に、本実施形態に係わる携帯電話機の記憶部２３には、キーボード部１３を通じて設定されたカメラ１５による撮影時におけるバイブレータ１６のＯＮ／ＯＦＦの設定、及びカメラ１５による撮影時におけるバイブレータ１６の振動数が格納される。コントローラ２０は、カメラ１５による静止画又は動画の撮影を実行する際、記憶部２３に格納されたカメラ１５による静止画又は動画の撮影時におけるバイブレータ１６のＯＮ／ＯＦＦの設定及びバイブレータ１６の振動数を読み出し、読み出した情報に基づいて携帯電話機を振動させることによりピントをずらし、ソフトフォーカス効果を実現する。
【００２７】
次に、図２を用いて本実施形態に係わる携帯電話機の外観の構成について説明する。図２に示すように、本実施形態に係わる携帯電話機は、スピーカ１１、ディスプレイ部１２、バイブレータ１６、及びカメラ１５を有する上部筐体１８と、キーボード部１３、及びマイクロホン１４を有する下部筐体１９とを有して構成される。
【００２８】
上部筐体１８及び下部筐体１９は、略直方体状に形成されており、その前面部にそれぞれスピーカ１１、ディスプレイ部１２、キーボード部１３、及びマイクロホン１４が配置されている。また、上部筐体１８の背面部には、カメラ１５が配置されている。さらに、上部筐体１８内部には、携帯電話機を振動させるバイブレータ１６が配置されている。本実施形態に係わる携帯電話機は、カメラ１５による静止画又は動画撮影時にバイブレータ１６を起動し、携帯電話機を振動させることにより、ピントをずらしてソフトフォーカス効果を実現する。なお、図２に示す携帯電話機においては、カメラ１５を上部筐体１８の背面部に設けたが、図３に示すように上部筐体１８の前面部に設けることも可能である。
【００２９】
次に、本実施形態に係わる携帯電話機において、カメラ１５による撮影時におけるバイブレータ１６の振動を設定する動作、及びカメラ１５による撮影時にバイブレータ１６を振動させる動作について図４を用いて説明する。
【００３０】
キーボード部１３の電源投入ボタンが押下されると、蓄電池２２から各部への電源の供給が開始され、携帯電話機の電源がＯＮされる（ステップＳ４０１）。次に、ユーザがキーボード部１３を通じてコントローラ２０に対してカメラ１５の起動を要求すると、コントローラ２０はカメラ１５を起動する（ステップＳ４０２）。
【００３１】
カメラ１５が起動されると、コントローラ２０はソフトフォーカス効果の設定を待って待機する（ステップＳ４０３）。そして、ユーザがキーボード部１３を通じてコントローラ２０に対してソフトフォーカス効果の起動が要求されなかった場合は（ステップＳ４０３／ＮＯ）、ソフトフォーカス効果が起動されずにカメラ１５による静止画又は動画の撮影動作が開始される（ステップＳ４０７）。
【００３２】
一方、ユーザがキーボード部１３を通じてコントローラ２０に対してソフトフォーカス効果の起動を要求した場合は（ステップＳ４０３／ＹＥＳ）、コントローラ２０はバイブレータ１６を起動させる（ステップＳ４０４）。バイブレータ１６が起動されると（ステップＳ４０４）、コントローラ２０はバイブレータ１６の振動数の変更を待って待機する（ステップＳ４０５）。そして、ユーザがキーボード部１３を通じてコントローラ２０に対して振動数の変更を要求した場合は（ステップＳ４０５／ＹＥＳ）、コントローラ２０はバイブレータ１６の振動数の変更を実行する（ステップＳ４０６）。なお、バイブレータ１６の振動数の変更が実行されると、記憶部２３に格納されているカメラ１５による静止画又は動画の撮影時の振動数が更新される。バイブレータ１６における振動数の変更が完了すると（ステップＳ４０６）、カメラ１５による静止画又は動画の撮影動作が開始される（ステップＳ４０７）。
【００３３】
一方、コントローラ２０に対して振動数の変更が要求されなかった場合は（ステップＳ４０５／ＮＯ）、振動数の変更は行われず、記憶部２３に格納されている振動数によりバイブレータ１６は振動し、カメラ１５による静止画又は動画の撮影動作が開始される（ステップＳ４０７）。
【００３４】
なお、バイブレータ１６の振動は、ステップＳ４０４において振動開始されると、ユーザがキーボード部１３を通じてコントローラ２０に対してバイブレータ１６の停止を要求するまで継続される。したがって、ユーザは、一度のバイブレータ１６の起動要求により複数回のソフトフォーカス効果によるぼかしの入った静止画又は動画の撮影が可能である。
【００３５】
本実施形態に係わる携帯電話機によれば、カメラによる静止画又は動画の撮影を行う際に、携帯電話機に装備されるバイブレータを振動させ、携帯電話機自体の振動によりソフトフォーカス効果を実現することにより、ぼかし撮影を行うために新たなハードウェアを追加する必要がないため、携帯電話機を小型化・薄型化することができる。
【００３６】
次に、他の実施形態に係わる携帯電話機の構成及び動作について説明する。
【００３７】
まず、図５を用い本実施形態に係わる携帯電話機の構成について説明する。本実施形態に係わる携帯電話機は、スピーカ（発音手段）１１と、ディスプレイ部１２と、キーボード部１３と、マイクロホン１４と、カメラ１５と、コントローラ２０と、無線通信部２１と、携帯電話機の電源である蓄電池２２と、携帯電話機に格納されるデータや設定等を記憶する記憶部２３とを有して構成される。
【００３８】
スピーカ１１は、無線通信部２１が受信した他の通信装置からの電気信号を音振動に変換し、発音する。ディスプレイ１２は、キーボード部１３などの操作に応じてコントローラ２０に入力または選択された電話番号などの情報が表示される。また、本実施形態に係わるディスプレイ１２は、振動を発生し、カメラ１５によって静止画又は動画を撮影する際のソフトフォーカス効果を実現する。
【００３９】
ディスプレイ１２を振動させる方法の一例としては、携帯電話機内部に音響再生装置を設け、カメラ１５による静止画又は動画の撮影時に、音響再生装置からディスプレイ１２との間に設けられた空間に音を放射させ、放射された音のエネルギーによってディスプレイ１２を振動させる方法がある。なお、ディスプレイ１２を振動させる方法は、上述の構成に限定されるものではなく、適宜変更することができる。
【００４０】
キーボード部１３は、テンキー、オンフックキー、及びオフフックキーなどのキーを備えており、使用者がキーボード部１３を操作することにより、電話番号や文字、及び発呼指令等の情報をコントローラ２０に入力することができる。また、キーボード部１３は、携帯電話機を振動させカメラ撮影時のぼかしを実現するディスプレイ１２の振動のＯＮ／ＯＦＦ及びディスプレイ１２の振動数を制御することによるぼかしの度合いを設定するぼかし制御キー１７が備えられている。カメラ１５は、被写体の静止画又は動画を撮影する際に作動する。無線通信装置２１は、コントローラ２０によって制御されており、キーボード部１３によってコントローラ２０に入力された指令に基づいて、図示せぬ無線基地局等を介して他の通信機器との間で無線通信を行う。コントローラ２０は、携帯電話機の装置各部を制御するものであり、通常の携帯電話機と同様に各部を制御する。蓄電池２２は、本実施形態に係わる携帯電話機の動作を司る各部へ電力を供給する。
【００４１】
記憶部２３は、携帯電話機に格納されるデータや設定等を記憶する。具体的には、通信相手の電話番号、メールアドレス、カメラ１５により撮影した静止画又は動画の画像データ、キーボード部１３を通じて設定された各種設定等が格納される。特に、本実施形態に係わる携帯電話機の記憶部２３には、キーボード部１３を通じて設定されたカメラ１５による撮影時におけるディスプレイ１２の振動のＯＮ／ＯＦＦの設定、及びカメラ１５による撮影時におけるディスプレイ１２の振動数が格納される。コントローラ２０は、カメラ１５による静止画又は動画の撮影を実行する際、記憶部２３に格納されたカメラ１５による静止画又は動画の撮影時におけるディスプレイ１２の振動のＯＮ／ＯＦＦの設定及びディスプレイ１２の振動数を読み出し、読み出した情報に基づいて携帯電話機を振動させることによりピントをずらし、ソフトフォーカス効果を実現する。
【００４２】
次に、図６を用いて本実施形態に係わる携帯電話機の外観の構成について説明する。図６に示すように、本実施形態に係わる携帯電話機は、スピーカ１１、ディスプレイ部１２、及びカメラ１５を有する上部筐体１８と、キーボード部１３、及びマイクロホン１４を有する下部筐体１９とを有して構成される。
【００４３】
上部筐体１８及び下部筐体１９は、略直方体状に形成されており、その前面部にそれぞれスピーカ１１、ディスプレイ部１２、キーボード部１３、及びマイクロホン１４が配置されている。また、上部筐体１８の背面部には、カメラ１５が配置されている。本実施形態に係わる携帯電話機は、カメラ１５による静止画又は動画撮影時にディスプレイ１２の振動機能を起動し、携帯電話機を振動させることにより、ピントをずらしてソフトフォーカス効果を実現する。なお、図６に示す携帯電話機においては、カメラ１５を上部筐体１８の背面部に設けたが、図７に示すように上部筐体１８の前面部に設けることも可能である。
【００４４】
次に、本実施形態に係わる携帯電話機において、カメラ１５による撮影時におけるディスプレイ１２の振動を設定する動作、及びカメラ１５による撮影時にディスプレイ１２を振動させる動作について図８を用いて説明する。
【００４５】
キーボード部１３の電源投入ボタンが押下されると、蓄電池２２から各部への電源の供給が開始され、携帯電話機の電源がＯＮされる（ステップＳ８０１）。次に、ユーザがキーボード部１３を通じてコントローラ２０に対してカメラ１５の起動を要求すると、コントローラ２０はカメラ１５を起動する（ステップＳ８０２）。
【００４６】
カメラ１５が起動されると、コントローラ２０はソフトフォーカス効果の設定を待って待機する（ステップＳ８０３）。そして、ユーザがキーボード部１３を通じてコントローラ２０に対してソフトフォーカス効果の起動が要求されなかった場合は（ステップＳ８０３／ＮＯ）、ソフトフォーカス効果が起動されずにカメラ１５による静止画又は動画の撮影動作が開始される（ステップＳ８０７）。
【００４７】
一方、ユーザがキーボード部１３を通じてコントローラ２０に対してソフトフォーカス効果の起動を要求した場合は（ステップＳ８０３／ＹＥＳ）、コントローラ２０はディスプレイ１２の振動機能を起動させる（ステップＳ８０４）。ディスプレイ１２の振動機能が起動されると（ステップＳ８０４）、コントローラ２０はディスプレイ１２の振動数の変更を待って待機する（ステップＳ８０５）。そして、ユーザがキーボード部１３を通じてコントローラ２０に対して振動数の変更を要求した場合は（ステップＳ８０５／ＹＥＳ）、コントローラ２０はディスプレイ１２の振動数の変更を実行する（ステップＳ８０６）。なお、ディスプレイ１２の振動数の変更が実行されると、記憶部２３に格納されているカメラ１５による静止画又は動画の撮影時の振動数が更新される。ディスプレイ１２の振動数の変更が完了すると（ステップＳ８０６）、カメラ１５による静止画又は動画の撮影動作が開始される（ステップＳ８０７）。
【００４８】
一方、コントローラ２０に対して振動数の変更が要求されなかった場合は（ステップＳ８０５／ＮＯ）、振動数の変更は行われず、記憶部２３に格納されている振動数によりディスプレイ１２は振動し、カメラ１５による静止画又は動画の撮影動作が開始される（ステップＳ８０７）。
【００４９】
なお、ディスプレイ１２の振動は、ステップＳ８０４において振動開始されると、ユーザがキーボード部１３を通じてコントローラ２０に対してディスプレイ１２の停止を要求するまで継続される。したがって、ユーザは、一度、ディスプレイ１２の振動機能の起動を要求することにより複数回のソフトフォーカス効果によるぼかしの入った静止画又は動画の撮影が可能である。
【００５０】
本実施形態に係わる携帯電話機によれば、カメラによる静止画又は動画の撮影を行う際に、携帯電話機に装備されるディスプレイを振動させ、携帯電話機自体の振動によりソフトフォーカス効果を実現することにより、ぼかし撮影を行うために新たなハードウェアを追加する必要がないため、携帯電話機を小型化・薄型化することができる。
【図面の簡単な説明】
【００５１】
【図１】本実施形態に係わる携帯電話機のシステム構成を示すブロック図である。
【図２】本実施形態に係わる携帯電話機の外観図である。
【図３】本実施形態に係わる携帯電話機の外観図である。
【図４】本実施形態に係わる携帯電話機が有するカメラによって撮影を行うときの動作を示すフローチャートである。
【図５】他の実施形態に係わる携帯電話機のシステム構成を示すブロック図である。
【図６】他の実施形態に係わる携帯電話機の外観図である。
【図７】他の実施形態に係わる携帯電話機の外観図である。
【図８】他の実施形態に係わる携帯電話機が有するカメラによって撮影を行うときの動作を示すフローチャートである。
【符号の説明】
【００５２】
１１    スピーカ
１２    ディスプレイ部
１３    キーボード部
１４    マイクロホン
１５    カメラ
１６    バイブレータ
１７    制御キー
１８    上部筐体
１９    下部筐体
２０    コントローラ
２１    無線通信部
２２    蓄電池
２３    記憶部
【図１】
2007124018.tif 000003
【図２】
2007124018.tif 000004
【図３】
2007124018.tif 000005
【図４】
2007124018.tif 000006
【図５】
2007124018.tif 000007
【図６】
2007124018.tif 000008
【図７】
2007124018.tif 000009
【図８】
2007124018.tif 000010